【手続補正書】
【提出日】平成25年4月25日(2013.4.25)
【手続補正１】
【補正対象書類名】特許請求の範囲
【補正対象項目名】全文
【補正方法】変更
【補正の内容】
【特許請求の範囲】
【請求項１】
液体吐出ヘッドのノズルに対応して設けられた吐出エネルギー発生素子を作動させる駆動信号を生成する駆動信号生成手段を有し、前記駆動信号を前記吐出エネルギー発生素子に供給することにより、前記ノズルから液滴を吐出させる液体吐出ヘッドの駆動装置であって、
前記駆動信号は、一記録周期中に複数回の吐出を行うための複数の吐出用パルスを含んでおり、
前記複数の吐出用パルスの最終パルスは、終端側波高変化部の波高変化時間が共振周期Ｔｃの４分の１以上であり、前記複数の吐出用パルスの少なくとも１つは、始端から終端側波高変化部の始端までの時間で表されるパルス幅が共振周波数Ｔｃの２分の１であることを特徴とする液体吐出ヘッドの駆動装置。
【請求項２】
前記駆動信号は、前記複数の吐出用パルスのパルス間隔の少なくとも１つは共振周期Ｔｃの整数倍であることを特徴とする請求項１に記載の液体吐出ヘッドの駆動装置。
【請求項３】
前記駆動信号は、前記複数の吐出用パルスのうち最終パルスを除いた残りのパルス列内で、先行するパルスの電圧振幅よりも後続のパルスの電圧振幅が小さく、前記最終パルスは、前記複数の吐出用パルスの中で電圧振幅が最も大きいことを特徴とする請求項１又は２に記載の液体吐出ヘッドの駆動装置。
【請求項４】
前記駆動信号は、前記複数の吐出用パルスのうち最終パルスを除いた残りのパルス列内で、終端側波高変化部の波高変化時間が前記最終パルスの終端側波高変化部の波高変化時間未満であることを特徴とする請求項１から３のいずれか１項に記載の液体吐出ヘッドの駆動装置。
【請求項５】
前記駆動信号は、前記複数の吐出用パルスのうち前記最終パルスを除いた残りのパルス列内で、徐々に後続のパルスの電圧振幅が小さくなっていることを特徴とする請求項１から４のいずれか１項に記載の液体吐出ヘッドの駆動装置。
【請求項６】
前記駆動信号生成手段は、一記録周期中にＮ個（ただし、Ｎは３以上の整数）の吐出用パルスを含んだ前記駆動信号としての第１の駆動信号と、前記第１の駆動信号を構成するＮ個の吐出用パルスの前段にさらにＭ個（ただし、Ｍは１以上の整数）の吐出用パルスが付加されてなる第２の駆動信号と、を生成可能であり、前記付加されたＭ個の吐出用パルスは前記Ｎ個の吐出用パルスにおける先頭パルスの電圧振幅よりも小さい電圧振幅のパルスであることを特徴とする請求項１から５のいずれか１項に記載の液体吐出ヘッドの駆動装置。
【請求項７】
一記録周期中にＭ＋Ｎ個の吐出用パルスを含む前記第２の駆動信号のうち、後ろからＫ個（ただし、Ｋは１以上、Ｍ＋Ｎ以下の整数）の吐出用パルスを選択して前記吐出エネルギー発生素子に供給することにより、滴量を異ならせた吐出が可能であることを特徴とする請求項６に記載の液体吐出ヘッドの駆動装置。
【請求項８】
前記複数の吐出用パルスのうち最終パルスを除いた残りのパルス列は、仮に当該パルス列内の各パルスをそれぞれ単独で抜き出して単発の吐出に用いた場合に得られる各パルスによる吐出速度で比較したとき、当該パルス列内で先行するパルスよりも後続のパルスによる吐出速度が遅くなるように構成され、前記最終パルスは、これに先行する前記パルス列の各吐出用パルスと比較して、最も速い吐出速度となる吐出を行うものであることを特徴とする請求項１又は２に記載の液体吐出ヘッドの駆動装置。
【請求項９】
前記駆動信号は、前記複数の吐出用パルスのうち前記最終パルスを除いた残りのパルス列内で、徐々に後続のパルスによる前記吐出速度を遅くする構成となっていることを特徴とする請求項８に記載の液体吐出ヘッドの駆動装置。
【請求項１０】
前記最終パルスよりも先行する吐出用パルスの印加によって吐出された先行滴と、前記最終パルスにより吐出された最終滴とを飛翔中に合体させることを特徴とする請求項１から９のいずれか１項に記載の液体吐出ヘッドの駆動装置。
【請求項１１】
前記駆動信号は、前記複数の吐出用パルスのうち前記最終パルスを除いた残りのパルス列内で、徐々に後続のパルスのパルス間隔を共振周期Ｔｃからずらした構成となっていることを特徴とする請求項１から１０のいずれか１項に記載の液体吐出ヘッドの駆動装置。
【請求項１２】
前記駆動信号は、前記複数の吐出用パルスのうち前記最終パルスを除いた残りのパルス列内で、徐々に後続のパルスのパルス幅を共振周期Ｔｃの２分の１からずらした構成となっていることを特徴とする請求項１から１１のいずれか１項に記載の液体吐出ヘッドの駆動装置。
【請求項１３】
前記駆動信号は、前記複数の吐出用パルスのうち前記最終パルスを除いた残りのパルス列内で、徐々に後続のパルスの波高変化部の傾きを緩やかにした構成となっていることを特徴とする請求項１から１２のいずれか１項に記載の液体吐出ヘッドの駆動装置。
【請求項１４】
前記駆動信号は、前記複数の吐出用パルスの最終パルスの後段に残響抑制パルスを含んでいることを特徴とする請求項１から１３のいずれか１項に記載の液体吐出ヘッドの駆動装置。
【請求項１５】
前記駆動信号の波形を表すデジタル波形データを格納する波形データ記憶手段と、
前記波形データ記憶手段から読み出したデジタル波形データからアナログ信号に変換するＤ／Ａ変換器と、
前記Ｄ／Ａ変換器を経て生成された前記駆動信号を前記吐出エネルギー発生素子に印加するタイミングを制御するスイッチ手段と、
を備えたことを特徴とする請求項１から１４のいずれか１項に記載の液体吐出ヘッドの駆動装置。
【請求項１６】
液滴を吐出するためのノズルと、前記ノズルに連通する圧力室と、前記圧力室に設けられた吐出エネルギー発生素子と、を備えた液体吐出ヘッドと、
当該液体吐出ヘッドの前記ノズルから液滴を吐出させるための駆動装置としての請求項１から１５のいずれか１項に記載の液体吐出ヘッドの駆動装置と、
を備えたことを特徴とする液体吐出装置。
【請求項１７】
液滴を吐出するためのノズルと、前記ノズルに連通する圧力室と、前記圧力室に設けられた吐出エネルギー発生素子と、を備えた前記液体吐出ヘッドとしてのインクジェットヘッドと、
当該インクジェットヘッドの前記ノズルから液滴を吐出させるための駆動装置としての請求項１から１５のいずれか１項に記載の液体吐出ヘッドの駆動装置と、
を備えたことを特徴とするインクジェット記録装置。
【手続補正２】
【補正対象書類名】明細書
【補正対象項目名】０００６
【補正方法】変更
【補正の内容】
【０００６】
特許文献２は、基準電位Ｖｒｅｆから電圧Ｖａまで立ち下がる波形要素Ｓ１、波形要素Ｓ１に続いて電圧Ｖａを維持する波形要素Ｓ２、波形要素Ｓ２に続いて電圧Ｖａから基準電位Ｖｒｅｆよりも高い電圧Ｖｂまで立ち上がる波形要素Ｓ３、波形要素Ｓ３に続いて液室の固有振動数Ｔｃに対して、Ｔｃ×（１／２）からＴｃ×（３／２）の範囲内の保持時間Ｔｗの間、電圧Ｖｂに保持する波形要素Ｓ４、波形要素Ｓ４に続いて電圧Ｖｂから基準電位Ｖｒｅｆまで立ち下がる波形要素Ｓ５を含む駆動波形を用いて、波形要素Ｓ１〜Ｓ３により主滴を吐出させ、波形要素Ｓ４、Ｓ５により主滴を吐出させることなく主滴に伴うサテライト滴の滴速度を高めて、主滴とサテライト滴を着弾位置又は主滴飛翔中に主滴に合体させ、サテライト滴による画像品質の低下を低減させるように構成された画像形成装置を開示している。
【手続補正３】
【補正対象書類名】明細書
【補正対象項目名】００１５
【補正方法】変更
【補正の内容】
【００１５】
本発明はこのような事情に鑑みてなされたもので、吐出効率や着弾精度を犠牲にすることなくサテライトの発生を抑制し、好ましいドット形状を実現しうる、液体吐出ヘッドの駆動装置、液体吐出装置及びインクジェット記録装置を提供することを目的とする。
【手続補正４】
【補正対象書類名】明細書
【補正対象項目名】００１６
【補正方法】変更
【補正の内容】
【００１６】
上記目的を達成するために、本発明に係る液体吐出ヘッドの駆動装置は、液体吐出ヘッドのノズルに対応して設けられた吐出エネルギー発生素子を作動させる駆動信号を生成する駆動信号生成手段を有し、前記駆動信号を前記吐出エネルギー発生素子に供給することにより、前記ノズルから液滴を吐出させる液体吐出ヘッドの駆動装置であって、前記駆動信号は、一記録周期中に複数回の吐出を行うための複数の吐出用パルスを含んでおり、前記複数の吐出用パルスの最終パルスは、終端側波高変化部の波高変化時間が共振周期Ｔｃの４分の１以上であり、前記複数の吐出用パルスの少なくとも１つは、始端から終端側波高変化部の始端までの時間で表されるパルス幅が共振周波数Ｔｃの２分の１であることを特徴とする。
【手続補正５】
【補正対象書類名】明細書
【補正対象項目名】００５７
【補正方法】変更
【補正の内容】
【００５７】
図８に示す駆動波形２０は、図１に図示した駆動波形１０に対して論理を反転させている。すなわち、駆動波形２０は第１パルス２１〜第５パルス２５の立ち上がり波形部（第１信号要素２１ａ、２２ａ、２３ａ、２４ａ、２５ａ）において圧力室を拡張させ、立ち下がり波形部（第３信号要素２１ｃ、２２ｃ、２３ｃ、２４ｃ、２５ｃ）において圧力室を収縮させる。
【手続補正６】
【補正対象書類名】明細書
【補正対象項目名】００９６
【補正方法】変更
【補正の内容】
【００９６】
また、図１１（ａ）に示した小滴の波形は、中滴の波形（図１１（ｂ））中に内包されており、中滴の波形中の最終パルスと残響抑制パルスのみを選択したものである。このような構成によれば、小滴、中滴、大滴の滴速（記録媒体上に着弾するまでの時間）を揃えることが可能である。
【手続補正７】
【補正対象書類名】明細書
【補正対象項目名】０１１１
【補正方法】変更
【補正の内容】
【０１１１】
図１４に示す例では、先頭パルス１１のパルス幅ＴＢは共振周期Ｔｃの２分の１とされ、第２パルス１２のパルス幅ＴＢ１は共振周期Ｔｃの２分の１よりも短くされ、第３パルス１３のパルス幅ＴＢ２は、第２パルス１２のパルス間隔ＴＢ１よりも短くされている。
【手続補正８】
【補正対象書類名】明細書
【補正対象項目名】０１５５
【補正方法】変更
【補正の内容】
【０１５５】
（描画部）
描画部１１６は、描画ドラム（「描画胴」或いは「ジェッティング胴」とも言う）１７０、用紙抑えローラ１７４、及びインクジェットヘッド１７２Ｍ，１７２Ｋ，１７２Ｃ，１７２Ｙを備えている。各色のインクジェットヘッド１７２Ｍ，１７２Ｋ，１７２Ｃ，１７２Ｙ及びその制御装置として、図２４で説明したプリントヘッド２５０の構成とヘッドドライバ２７８の構成が採用されている。
【手続補正９】
【補正対象書類名】明細書
【補正対象項目名】０１６１
【補正方法】変更
【補正の内容】
【０１６１】
各インクジェットヘッド１７２Ｍ，１７２Ｋ，１７２Ｃ，１７２Ｙの打滴タイミングは、描画ドラム１７０に配置された回転速度を検出するエンコーダ（図２０中不図示、図２４の符号２９４）に同期させる。このエンコーダの検出信号に基づいて吐出トリガー信号（画素トリガー）が発せされる。これにより、高精度に着弾位置を決定することができる。
【手続補正１０】
【補正対象書類名】明細書
【補正対象項目名】０１７５
【補正方法】変更
【補正の内容】
【０１７５】
（排紙部）
定着部１２０に続いて排紙部１２２が設けられている。排紙部１２２は、排出トレイ１９２を備えており、この排出トレイ１９２と定着部１２０の定着ドラム１８４との間に、これらに対接するようにローラ１９４、搬送ベルト１９６、張架ローラ１９８が設けられている。
【手続補正１１】
【補正対象書類名】明細書
【補正対象項目名】０１８２
【補正方法】変更
【補正の内容】
【０１８２】
記録媒体１２４の送り方向（矢印Ｓ方向；「第１方向」に相当）と略直交する方向（矢印Ｍ方向；「第２方向」に相当）に記録媒体１２４の描画領域の全幅に対応する長さ以上のノズル列を構成するために、例えば、図２２（ａ）に示すように、複数のノズル２５１が二次元に配列された短尺のヘッドモジュール２５０’を千鳥状に配置して、長尺のライン型ヘッドを構成する。
【手続補正１２】
【補正対象書類名】明細書
【補正対象項目名】０１９７
【補正方法】変更
【補正の内容】
【０１９７】
（制御系の説明）
図２４は、インクジェット記録装置１００のシステム構成を示す要部ブロック図である。インクジェット記録装置１００は、通信インターフェース２７０、システムコントローラ２７２、プリント制御部２７４、ヘッドドライバ２７８、モータドライバ２８０、ヒータドライバ２８２、処理液付与制御部２８４、乾燥制御部２８６、定着制御部２８８、メモリ２９０、ＲＯＭ２９２、エンコーダ２９４等を備えている。
【手続補正１３】
【補正対象書類名】明細書
【補正対象項目名】０２３２
【補正方法】変更
【補正の内容】
【０２３２】
（発明１）：液体吐出ヘッドのノズルに対応して設けられた吐出エネルギー発生素子を作動させる駆動信号を生成する駆動信号生成手段を有し、前記駆動信号を前記吐出エネルギー発生素子に供給することにより、前記ノズルから液滴を吐出させる液体吐出ヘッドの駆動装置であって、前記駆動信号は、一記録周期中に複数回の吐出を行うための複数の吐出用パルスを含んでおり、前記複数の吐出用パルスの最終パルスは、終端側波高変化部の波高変化時間が共振周期Ｔｃの４分の１以上であり、前記複数の吐出用パルスの少なくとも１つは、始端から終端側波高変化部の始端までの時間で表されるパルス幅が共振周波数Ｔｃの２分の１であることを特徴とする液体吐出ヘッドの駆動装置。
【手続補正１４】
【補正対象書類名】明細書
【補正対象項目名】０２３９
【補正方法】変更
【補正の内容】
【０２３９】
複数の吐出用パルスのうち、先頭パルスと次のパルスとのパルス間隔を共振周期Ｔｃの正の整数倍にする態様が好ましく、複数の吐出用パルスの全てのパルスについて、パルス間隔を共振周期Ｔｃの正の整数倍にする態様がより好ましい。
【手続補正１５】
【補正対象書類名】明細書
【補正対象項目名】０２４０
【補正方法】変更
【補正の内容】
【０２４０】
（発明３）：発明１又は２に記載の液体吐出ヘッドの駆動装置において、前記駆動信号は、前記複数の吐出用パルスのうち最終パルスを除いた残りのパルス列内で先行するパルスの電圧振幅よりも後続のパルスの電圧振幅が小さく、前記最終パルスは、前記複数の吐出用パルスの中で電圧振幅が最も大きいことを特徴とする。
【手続補正１６】
【補正対象書類名】明細書
【補正対象項目名】０２４２
【補正方法】変更
【補正の内容】
【０２４２】
（発明４）：発明１から３のいずれかに記載の液体吐出ヘッドの駆動装置において、前記駆動信号は、前記複数の吐出用パルスのうち最終パルスを除いた残りのパルス列内で終端側波高変化部の波高変化時間は、前記最終パルスの終端側波高変化部の波高変化時間未満であることを特徴とする。
【手続補正１７】
【補正対象書類名】明細書
【補正対象項目名】０２４５
【補正方法】変更
【補正の内容】
【０２４５】
（発明５）：発明１から４のいずれかに記載の液体吐出ヘッドの駆動装置において、前記駆動信号は、前記複数の吐出用パルスのうち前記最終パルスを除いた残りのパルス列内で、徐々に後続のパルスの電圧振幅が小さくなっていることを特徴とする。
【手続補正１８】
【補正対象書類名】明細書
【補正対象項目名】０２４７
【補正方法】変更
【補正の内容】
【０２４７】
（発明６）：発明１から５のいずれかに記載の液体吐出ヘッドの駆動装置において、前記駆動信号生成手段は、一記録周期中にＮ個（ただし、Ｎは３以上の整数）の吐出用パルスを含んだ前記駆動信号としての第１の駆動信号と、前記第１の駆動信号を構成するＮ個の吐出用パルスの前段にさらにＭ個（ただし、Ｍは１以上の整数）の吐出用パルスが付加されてなる第２の駆動信号と、を生成可能であり、前記付加されたＭ個の吐出用パルスは前記Ｎ個の吐出用パルスにおける先頭パルスの電圧振幅よりも小さい電圧振幅のパルスであることを特徴とする。